(57)【要約】      （修正有）【課題】溝部に差し込まれたガラス板等の板体が脱落することがなく、さらに、差し込まれる板体の厚みに柔軟に対応可能な板体支持具を提供する。【解決手段】板体支持具１は、ガラス板６を挿入する溝部と、溝部の内壁面４Ａに外部と貫通するように設けられた２つの雌螺子部と、雌螺子部に螺合する先端部５Ｂが平坦な雄螺子と、を有する挟持部を備え、挟持部どうしは、垂直に連設されており、適度な圧力で各雄螺子を締め込むことにより、各溝部に挿入された各ガラス板６，６は、各雄螺子の先端部５Ｂ，５Ｂと各内壁面４Ｂ，４Ｂとで挟持され支持される。【選択図】図３
2016035324.tif 000002
【特許請求の範囲】
【請求項１】
ガラス板等の板体を支持する板体支持具であって、
板体を挿入する溝部と、該溝部の内壁面の一方に外部と貫通するように設けられた２つの雌螺子部と、該雌螺子部に螺合する先端部が平坦な雄螺子と、を有する挟持部を備え、
前記溝部に挿入された板体は、前記雌螺子部に螺合された前記雄螺子の先端部と前記溝部の他方の内壁面とで挟持されて支持されること
を特徴する板体支持具。
【請求項２】
前記挟持部を２つ有しており、一方の挟持部に対し他方の挟持部が水平方向あるいは垂直方向に連設されることを特徴とする請求項１に記載の板体支持具。
【発明の詳細な説明】
【技術分野】
【０００１】
本発明は、商品陳列棚に使用されるガラス板等の板体を支持する板体支持具に関する。
【背景技術】
【０００２】
従来から、ガラス板どうしを組み合わせて作られる商品陳列棚があり、ガラス板どうしを組み合わせる際に継目金具が使用されている。例えば、そのような継目金具として特許文献１に記載の硝子板の継目金具は、左右の硝子板を同一平面状に継ぎ合わせる左右対向の溝と、この硝子板間において之と直角状に取付ける硝子板の溝を両溝間に何れも隔壁を介して離隅状構成した断面北字状の主体を一体に形成して成る。
【０００３】
この硝子板の継目金具を使用すれば、３枚の硝子板を直角状に継ぎ合わせることができる。しかしながら、３枚の硝子板は溝に単に差し込まれているだけなので、各溝は差し込まれる硝子板の厚みに対応して形成しなければならず汎用性に欠ける。また、硝子板は各溝に差し込まれているだけなので、脱落する可能性がある等といった問題が生ずる。
【先行技術文献】
【特許文献】
【０００４】
【特許文献１】実公昭３５−２１７３２号公報
【発明の概要】
【発明が解決しようとする課題】
【０００５】
本発明は、このような問題を解決するためになされたものであり、その目的とするところは、差し込まれたガラス板等の板体が脱落することがなく、さらに、差し込まれる板体の厚みに柔軟に対応可能な板体支持具を提供することを目的とする。
【課題を解決するための手段】
【０００６】
前記の目的を達成するため、本発明は、ガラス板等の板体を支持する板体支持具であって、板体を挿入する溝部と、該溝部の内壁面の一方に外部と貫通するように設けられた２つの雌螺子部と、該雌螺子部に螺合する先端部が平坦な雄螺子と、を有する挟持部を備え、前記溝部に挿入された前記板体は、前記雌螺子部に螺合された前記雄螺子の先端部と前記溝部の他方の内壁面とで挟持されて支持されることを特徴する。
【０００７】
前記挟持部を２つ有しており、一方の挟持部に対し他方の挟持部が水平方向あるいは垂直方向に連設されていてもよい。
【発明の効果】
【０００８】
本発明の板体支持具によれば、ガラス板等の板体を支持する板体支持具であって、板体を挿入する溝部と、該溝部の内壁面の一方に外部と貫通するように設けられた２つの雌螺子部と、該雌螺子部に螺合する先端部が平坦な雄螺子と、を有する挟持部を備え、前記溝部に挿入された前記板体は、前記雌螺子部に螺合された前記雄螺子の先端部と前記溝部の他方の内壁面とで挟持されて支持されるように構成した。これにより、溝部に差し込まれたガラス板等の板体が脱落することがなく、さらに、差し込まれる板体の厚みに柔軟に対応可能といった効果を奏する。
【図面の簡単な説明】
【０００９】
【図１】第１実施形態に係る本発明の板体支持具の図であり、（ａ）は上面図、（ｂ）は正面図、（ｃ）は右側面図、（ｄ）は左側面図である。
【図２】図１に示された雄螺子の図であり、（ａ）は正面図、（ｂ）は上面図である。
【図３】図１に示す板体支持具の使用状態を示す図である。
【図４】第２実施形態に係る本発明の板体支持具の図であり、（ａ）は上面図、（ｂ）は正面図、（ｃ）は使用状態を示す図である。
【図５】第３実施形態に係る本発明の板体支持具の図であり、（ａ）は上面図、（ｂ）は使用状態を示す図である。
【図６】第４実施形態に係る本発明の板体支持具の図（ａ）乃至（ｃ）及びこれに螺合される台座螺子を示す図（ｄ）であり、具体的には、（ａ）は正面図、（ｂ）は上面図、（ｃ）はＦ−Ｆ断面図、（ｄ）は台座螺子の正面図である。
【図７】第４実施形態に係る本発明の板体支持具の使用状態を示す図である。
【発明を実施するための形態】
【００１０】
以下、本発明を実施するための形態について、図面を参照しながら説明する。
【００１１】
図１には、第１実施形態に係る本発明の板体支持具１及び各部品が図示されており、（ａ）は上面図、（ｂ）は正面図、（ｃ）は右側面図、（ｄ）は左側面図である。図２には、板体支持具１に使用される雄螺子５が図示されており、（ａ）は正面図、（ｂ）は上面図である。図３には、板体支持具１の使用状態が図示されている。
【００１２】
板体支持具１は、ガラス板６を挿入する溝部４と、溝部４の内壁面４Ａに外部と貫通するように設けられた２つの雌螺子部３，３と、雌螺子部３に螺合する先端部５Ｂが平坦な雄螺子５と、を有する挟持部２を備える。挟持部２，２どうしは、垂直に連設されている。図１及び図３においては、各雌螺子部３の位置を明確にするため、本来であれば見えない雌螺子部３を図示している。
【００１３】
雄螺子５は、各雌螺子部３に螺合する螺子部材であり、取付の際の容易性を考慮し工具孔５Ａは六角レンチ向けに形成している。また、図３に示すようにガラス板６を表面から挟持することから、板体６の表面を傷つけないように先端部５Ａは平坦であり、かつ、素材は樹脂製であるとよい。
【００１４】
このように構成された板体支持具１の各溝部４，４に、ガラス板６を挿入した後、各雄螺子５，５，５，５をねじ込んでいくと、各先端部５Ｂ，５Ｂ，５Ｂ，５Ｂが各ガラス板６，６の表面に当接するとともに、各ガラス板６，６の背面側が各溝部５の内壁面４Ｂ，４Ｂに当接し、適度な圧力で各雄螺子５，５，５，５を締め込むことにより、各溝部４，４に挿入された各ガラス板６，６は、各雄螺子５，５，５，５の先端部５Ｂ，５Ｂ，５Ｂ，５Ｂと各内壁面４Ｂ，４Ｂとで挟持され支持される。
【００１５】
その結果、２つのガラス板６，６が板体支持具１を介して直角状に連接される。
【００１６】
以上のように板体支持具１を構成したことから、各雄螺子５，５，５，５をねじ込むだけで、各溝部４，４内のガラス板６，６を支持可能なので、取付が容易である。また、各ガラス板６，６は、離間した２つの雄螺子５，５と内壁面４Ｂによって挟持されるので、しっかりと支持され、脱落することはない。
【００１７】
上記第１実施形態は、ガラス板等の板体を直角状に連接する場合に本発明の板体支持具を適用した場合であるが、これに限定されるものではなく、例えば、ガラス板をＴ字状に連接する場合、十字状に連接する場合、あるいは単にガラス板一枚を立設支持する場合においても適用可能である。以下、図４乃至図７を用いて説明する。
【００１８】
図４には、第２実施形態に係る板体支持具１０Ａ及び使用状態が図示されており、第１実施形態に係る板体支持具１における挟持部２と同様のものをＴ字状に連接した構造である。その正面図は同図（ｂ）であるが、右側面図は図１（ｃ）と同様であり、左側面図は図１（ｂ）において雄螺子５，５を削除した図となる。また、背面図は図４（ｂ）における輪郭のみの図となる。
【００１９】
第２実施形態に係る板体支持具１０Ａにおいても、各挟持部２，２，２の支持構造は第１実施形態のものと同様であるので説明は省略し、図４（ｃ）において図示のみとする。このように構成したことから、板体支持具１０Ａは、簡易かつ脱落することなく、３枚のガラス板６，６，６をＴ字状に連接することが可能となる。
【００２０】
図５には、第３実施形態に係る板体支持具１０Ｂ及び使用状態が図示されており、第１実施形態に係る板体支持具１における挟持部２と同様のものを十字状に連接した構造である。その正面図及び左側面図は、図４（ｂ）と同様であり、背面図及び右側面図は図４（ｂ）において正面方向に突出された溝部４における雌螺子部３，３の形成されている位置が左右逆なだけである。
【００２１】
第３実施形態に係る板体支持具１０Ｂにおいても、各挟持部２，２，２，２の支持構造は第１実施形態のものと同様であるので説明は省略し、図５（ｂ）において図示のみとする。このように構成したことから、板体支持具１０Ｂは、簡易かつ脱落することなく、４枚のガラス板６，６，６，６を十字状に連接することが可能となる。
【００２２】
図６及び７には、第４実施形態に係る板体支持具１００、各部品及び使用状態が図示されており、同図（ａ）は挟持部２０の正面図、（ｂ）は上面図、（ｃ）はＦ−Ｆ断面図、同図（ｄ）は台座螺子７の正面図であり、図７は、板体支持具１００の使用状態を示す図である。
【００２３】
挟持部２０の構造は、上記挟持部２の構造とほぼ同じであるが、大きく異なるのは、底面側に雌螺子部４０Ｃが穿設されており、台座螺子７と螺合可能に構成されている点である。本実施形態においては、雌螺子部４０Ｃに螺合された台座螺子７が台座となり、板体支持具１００を立設することができる。
【００２４】
すなわち、図７に示すように、溝部４０に挿入され挟持されたガラス板６がこの台座螺子７が台座となり立設支持されることとなる。このように構成したことから、板体支持具１００は、一枚のガラス板を簡易かつ脱落することなく立設支持可能となる。
【００２５】
なお、上記実施形態においては、板体をガラス板としたが、例えば、アクリル板等の他の板状部材にも適用可能である。
【符号の説明】
【００２６】
１      板体支持具（第１実施形態）
２      挟持部
３      雌螺子部
４      溝部
４Ａ    内壁（一方の内壁）
４Ｂ    内壁（他方の内壁）
５      雄螺子
５Ａ    工具孔
５Ｂ    先端部
６      ガラス板
７      台座螺子
１０Ａ  板体支持具（第２実施形態）
１０Ｂ  板体支持具（第３実施形態）
１００  板体支持具（第４実施形態）
２０    挟持部
４０    溝部
４０Ａ  内壁（一方の内壁）
４０Ｂ  内壁（他方の内壁）
４０Ｃ  雌螺子部
【図１】
2016035324.tif 000003
【図２】
2016035324.tif 000004
【図３】
2016035324.tif 000005
【図４】
2016035324.tif 000006
【図５】
2016035324.tif 000007
【図６】
2016035324.tif 000008
【図７】
2016035324.tif 000009
【手続補正書】
【提出日】平成27年5月25日(2015.5.25)
【手続補正１】
【補正対象書類名】明細書
【補正対象項目名】０００６
【補正方法】変更
【補正の内容】
【０００６】
前記の目的を達成するため、本発明は、ガラス板等の板体を支持する板体支持具であって、板体を挿入する溝部と、該溝部の内壁面の一方に外部と貫通するように設けられた２つの雌螺子部と、該雌螺子部に螺合する先端部が平坦な樹脂製の雄螺子と、を有する挟持部を備え、前記溝部に挿入された前記板体は、前記雌螺子部に螺合された前記雄螺子の先端部と前記溝部の他方の内壁面とで挟持されて支持されることを特徴する。
【手続補正２】
【補正対象書類名】特許請求の範囲
【補正対象項目名】全文
【補正方法】変更
【補正の内容】
【特許請求の範囲】
【請求項１】
ガラス板等の板体を支持する板体支持具であって、
板体を挿入する溝部と、該溝部の内壁面の一方に外部と貫通するように設けられた２つの雌螺子部と、該雌螺子部に螺合する先端部が平坦な樹脂製の雄螺子と、を有する挟持部を備え、
前記溝部に挿入された板体は、前記雌螺子部に螺合された前記雄螺子の先端部と前記溝部の他方の内壁面とで挟持されて支持されること
を特徴する板体支持具。
【請求項２】
前記挟持部を２つ有しており、一方の挟持部に対し他方の挟持部が水平方向あるいは垂直方向に連設されることを特徴とする請求項１に記載の板体支持具。